(57)【要約】【課題】角形二次電池の蓋部材と発電要素との短絡を防止することができる組電池を提供する。【解決手段】電池ホルダ２１０と交互に積層させた複数の角形二次電池１００と、電池ホルダ２１０及び角形二次電池１００を拘束する拘束部材を備えた組電池２００である。角形二次電池１００は、セパレータを介在させて対向させた正極電極と負極電極とを捲回した発電要素７０と、発電要素７０を収容する電池缶１１と、電池缶１１の上部開口を封止する蓋部材１２を備える。蓋部材１２は、電池ホルダ２１０に対向する端部１２ａと端部１２ａの間の中間部１２ｂとを有し、中間部１２ｂの厚さの中心Ｃｂが端部１２ａの厚さの中心Ｃａよりも上方に位置する。【選択図】図９
2016081629.tif 000002
【特許請求の範囲】
【請求項１】
電池ホルダと交互に積層させた複数の角形二次電池と、前記電池ホルダ及び前記角形二次電池を拘束する拘束部材を備えた組電池であって、
前記角形二次電池は、セパレータを介在させて対向させた正極電極と負極電極を捲回した発電要素と、該発電要素を収容する電池缶と、該電池缶の上部開口を封止する蓋部材を備え、
前記蓋部材は、前記電池ホルダに対向する端部と、該端部の間の中間部とを有し、該中間部の厚さの中心が該端部の厚さの中心よりも上方に位置することを特徴とする組電池。
【請求項２】
前記蓋部材は、前記端部の厚さが前記中間部の厚さよりも薄いことを特徴とする請求項１に記載の組電池。
【請求項３】
前記蓋部材は、前記端部と前記中間部との間に段差部を有することを特徴とする請求項２に記載の組電池。
【請求項４】
前記蓋部材は、前記端部と前記中間部との間に傾斜部を有することを特徴とする請求項２に記載の組電池。
【請求項５】
前記蓋部材は、前記端部と前記中間部との間に接続部を有し、
前記接続部は、前記蓋部材の厚さ方向に高さを有することを特徴とする請求項１に記載の組電池。
【請求項６】
前記蓋部材の下端面は、前記電池缶の上端部に当接していることを特徴とする請求項１から請求項５のいずれか一項に記載の組電池。
【請求項７】
前記蓋部材は、前記中間部に前記電池缶の前記上部開口に嵌合する凸部を有することを特徴とする請求項６に記載の組電池。
【請求項８】
前記角形二次電池は、前記蓋部材の上面に正極外部端子と負極外部端子とを備え、
前記正極外部端子及び前記負極外部端子は、前記蓋部材の中間部に配置されていることを特徴とする請求項２から請求項５のいずれか一項に記載の組電池。
【請求項９】
前記角形二次電池は、前記電池缶が偏平角形に形成され、前記電池缶の厚さ方向に前記電池ホルダと交互に積層され、
前記蓋部材は、長方形板状に形成され、短辺方向の両側に前記電池ホルダが配置され、
前記発電要素は、捲回中心軸が前記蓋部材の長辺方向に沿うように配置されていることを特徴とする請求項１に記載の組電池。
【請求項１０】
電池ホルダと交互に積層させて拘束部材によって拘束することで組電池として用いられる角形二次電池であって、
セパレータを介在させて対向させた正極電極と負極電極を捲回した発電要素と、該発電要素を収容する電池缶と、該電池缶の上部開口を封止する蓋部材を備え、
前記蓋部材は、前記電池ホルダに対向する端部と、該端部の間の中間部とを有し、該中間部の厚さの中心が該端部の厚さの中心よりも上方に位置することを特徴とする角形二次電池。
【発明の詳細な説明】
【技術分野】
【０００１】
本発明は、複数の角形二次電池を備えた組電池及び該組電池に用いられる角形二次電池に関する。
【背景技術】
【０００２】
例えば、ハイブリッド型の電気自動車や純粋な電気自動車等の動力源として大容量（Ｗｈ）の二次電池が開発されており、その中でもエネルギー密度（Ｗｈ／ｋｇ）の高い角形のリチウムイオン二次電池が注目されている。角形リチウムイオン二次電池は、一般に、上側に開口部が形成された角形の電池ケースと、電池ケースの開口部に嵌合される蓋材と、電池ケース内に収容される発電要素とを備えている（例えば、下記特許文献１を参照）。
【０００３】
特許文献１に記載された角形二次電池は、電池ケースの蓋材から突出する正極端子及び負極端子と、正極端子を発電要素に電気的に接続する正極集電端子と、負極端子を発電要素に電気的に接続する負極集電端子とを備えている。発電要素は、正極集電体を含む正極と、負極集電体を含む負極と、セパレータとが捲回されて形成されている。そして、正極集電端子は、正極集電体に接続され、負極集電端子は、負極集電体に接続されている。
【０００４】
また、特許文献１に記載された角形二次電池は、蓋材の端部と電池ケースの端部とが拝み溶接されることによって形成された溶接部を備えている。そして、蓋材は、溶接部よりも電池ケースの外側に突出する隆起部を含んでいる。特許文献１では、このような構成を備えた電池によって、蓋材の高さ位置が電池毎にばらつくことを抑制することが可能である。
【先行技術文献】
【特許文献】
【０００５】
【特許文献１】特開２０１４−３８８１２号公報
【発明の概要】
【発明が解決しようとする課題】
【０００６】
角形二次電池は、通常、複数の電池を接続した組電池として使用される。組電池は、電池ホルダと交互に配置して積層させた複数の角形二次電池と、電池ホルダ間に配置された複数の角形二次電池を積層方向の両側から拘束する拘束部材とを有している。電池ホルダの間で拘束された角形二次電池は、充電に伴って膨張すると、電池ホルダから膨張を制限する反力を受ける。
【０００７】
特許文献１に記載された角形二次電池は、蓋材の端部が電池ケースの開口部の内側に嵌合し、蓋材の端部と電池ケースの端部とが拝み溶接されている。そのため、特許文献１に記載された角形二次電池によって組電池を構成した場合、角形二次電池が電池ホルダ間で膨張すると、電池ホルダに対向する蓋材の両端部に、電池ケースの内側下方に向く力が作用する。このような力が蓋材に作用すると、蓋材の全体が電池ケースの内側下方に撓むように変形し、蓋材と発電要素とが短絡する虞がある。
【０００８】
本発明は、前記課題に鑑みてなされたものであり、角形二次電池の蓋部材と発電要素との短絡を防止することができる組電池及び該組電池に用いられる角形二次電池を提供することを目的とする。
【課題を解決するための手段】
【０００９】
前記目的を達成すべく、本発明の組電池は、電池ホルダと交互に積層させた複数の角形二次電池と、前記電池ホルダ及び前記角形二次電池を拘束する拘束部材を備えた組電池であって、前記角形二次電池は、セパレータを介在させて対向させた正極電極と負極電極とを捲回した発電要素と、該発電要素を収容する電池缶と、該電池缶の上部開口を封止する蓋部材を備え、前記蓋部材は、前記電池ホルダに対向する端部と、該端部の間の中間部とを有し、前記中間部の厚さの中心が前記端部の厚さの中心よりも上方に位置することを特徴とする。
【発明の効果】
【００１０】
本発明の組電池において、角形二次電池を充電すると、角形二次電池は、電池ホルダの間に配置され、拘束部材によって拘束された状態で膨張する。すると、角形二次電池の電池缶の上部開口を封止する蓋部材の端部に対して、その端部に対向する電池ホルダから、蓋部材の中間部に向く力が作用する。
【００１１】
蓋部材は、中間部の厚さの中心が、端部の厚さの中心よりも上方に位置している。そのため、蓋部材の端部に対して中間部に向く力が作用すると、端部から中間部に対して上向きの力が作用し、蓋部材の全体が上方に撓むように変形する。これにより、角形二次電池の膨張時に、電池缶の上部開口を封止する蓋部材は、電池缶の上部開口から上方に向けて変形し、電池缶の外方に向けて変形する。
【００１２】
したがって、本発明の組電池によれば、角形二次電池の膨張時に、蓋部材が電池缶内部の発電要素に向けて変形することが防止され、蓋部材と発電要素との短絡を防止することができる。
【図面の簡単な説明】
【００１３】
【図１】本発明の組電池の一実施形態を示す斜視図。
【図２】図１に示す組電池の一部を切断した斜視図。
【図３】図１に示す組電池の分解斜視図。
【図４】図１に示す組電池を構成する角形二次電池の斜視図。
【図５】図４に示す角形二次電池の分解斜視図。
【図６】図５に示す角形二次電池の発電要素の一部を展開した分解斜視図。
【図７】図４に示す角形二次電池のVII-VII線に沿う矢視断面図。
【図８】図７に示す角形二次電池のVIII部分の拡大断面図。
【図９】図１に示す組電池の角形二次電池が膨張した状態の拡大断面図。
【図１０】図８に示す角形二次電池の変形例１を示す拡大断面図。
【図１１】図８に示す角形二次電池の変形例２を示す拡大断面図。
【図１２】図８に示す角形二次電池の変形例３を示す拡大断面図。
【図１３】図８に示す角形二次電池の変形例４を示す拡大断面図。
【図１４】図８に示す角形二次電池の変形例５を示す拡大断面図。
【発明を実施するための形態】
【００１４】
以下、図面を参照して本発明の組電池及び角形二次電池の実施形態について詳細に説明する。
【００１５】
（組電池）
図１は、本発明の組電池２００の一実施形態を示す斜視図である。図２は、図１に示す組電池２００の一部を切断した斜視図である。図３は、図１に示す組電池２００の分解斜視図である。
【００１６】
本実施形態の組電池２００は、電池ホルダ２１０と交互に積層させた複数の角形二次電池１００と、電池ホルダ２１０及び角形二次電池１００を拘束する拘束部材２２０を備えている。より具体的には、本実施形態の組電池２００は、複数の角形二次電池１００と、個々の角形二次電池１００を保持する電池ホルダ２１０と、電池ホルダ２１０に保持された角形二次電池１００を拘束する拘束部材２２０と、これらの上部を覆うように配置されるトッププレート２３０及びカバー２４０を備えている。
【００１７】
角形二次電池１００は、直方体形状の偏平角形に形成された電池容器１０を備えている。電池容器１０は、上部が開放された有底角筒状の電池缶１１と、電池缶１１の上部開口を封止する長方形板状の蓋部材１２と、蓋部材１２の上面に配置された正極外部端子２０Ａ及び負極外部端子２０Ｂとを備えている。蓋部材１２は、長手方向の中央部にガス排出弁１３を有している。ガス排出弁１３は、例えば、蓋部材１２の一部を薄肉化して開裂用の溝を形成することによって設けられ、電池容器１０の内圧が所定の圧力を超えて上昇したときに開裂し、電池容器１０の内部のガス等を放出することで、電池容器１０の内圧を低下させる。
【００１８】
電池ホルダ２１０は、角形二次電池１００の電池容器１０の側面のうち最大面積を有する広側面１０ａに対向するように、電池容器１０の厚さ方向両側に配置される板状の部材である。電池ホルダ２１０は、例えば、ガラスエポキシ樹脂、ポリプロピレン、ポリブチレンテレフタレート、ポリカーボネート、ナイロン樹脂などの樹脂材料や複合樹脂材料、アルミニウム、アルミニウム合金、銅、銅合金、マグネシウム合金、ステンレスなどの金属材料、または樹脂と金属の複合材によって製作されている。
【００１９】
電池ホルダ２１０は、矩形板状の本体部２１１の四隅に、断面形状がＬ字形の保持部２１２を有している。電池容器１０の広側面１０ａの四隅の角部を、電池ホルダ２１０の四つの保持部２１２の内側に嵌め込むことで、電池容器１０の広側面１０ａに平行な方向における角形二次電池１００と電池ホルダ２１０との相対位置が規定され、角形二次電池１００の厚さ方向の片側が電池ホルダ２１０によって保持される。電池容器１０の広側面１０ａに対向する電池ホルダ２１０の本体部２１１には、複数の凹溝２１３が電池容器１０の幅方向に沿って設けられ、凹溝２１３の間に電池容器１０の幅方向に沿って延びる当接部２１４が設けられている。電池ホルダ２１０は、本体部２１１の厚さの中心を通る断面に対称な形状を有し、２つの角形二次電池１００の間に配置される。
【００２０】
拘束部材２２０は、一対のエンドプレート２２１と、４本のシャフト２２２と、図示を省略するナットとを備えている。エンドプレート２２１は、四隅に貫通孔２２１ａを有する長方形板状の部材であり、角形二次電池１００の電池容器１０の広側面１０ａに対向する面に、電池ホルダ２１０と同様の凹溝２１３及び当接部２１４、並びに電池容器１０の角部を保持する保持部２１２を有している。すなわち、エンドプレート２２１の角形二次電池１００に対向する部分は、角形二次電池１００を保持する電池ホルダ２１０とみなすことができる。エンドプレート２２１は、例えば、電池ホルダ２１０と同様の材料によって製作することができる。
【００２１】
拘束部材２２０のシャフト２２２は、丸棒状に形成された両端部２２２ａに雄ネジが設けられている。シャフト２２２の中間部２２２ｂは、Ｌ字形の断面形状に屈曲された板材によって設けられている。シャフト２２２の中間部２２２ｂの形状は、電池ホルダ２１０の四隅の保持部２１２の形状に対応し、４本のシャフト２２２の中間部２２２ｂによって電池ホルダ２１０の四隅の保持部２１２を保持している。シャフト２２２の中間部２２２ｂの両側には、角形二次電池１００の幅方向外側に向けて屈曲されたフランジ部２２２ｃが設けられ、フランジ部２２２ｃに丸棒状の両端部２２２ａが設けられている。
【００２２】
複数の角形二次電池１００を電池ホルダ２１０と交互に配置して拘束部材２２０によって拘束するには、まず、電池ホルダ２１０を介在させて複数の角形二次電池１００を厚さ方向に積層する。このとき、角形二次電池１００は、積層方向に隣接する角形二次電池１００同士の正極外部端子２０Ａと負極外部端子２０Ｂの位置が反転するように、交互に１８０°反転させて積層する。そして、角形二次電池１００の間に電池ホルダ２１０が配置され、積層方向の両端に角形二次電池１００が配置された状態で、積層方向の両端の角形二次電池１００の電池容器１０の広側面１０ａと対向させて一対のエンドプレート２２１を配置する。
【００２３】
次に、シャフト２２２の断面視Ｌ字形の中間部２２２ｂを電池ホルダ２１０の保持部２１２の位置に合わせ、シャフト２２２の丸棒状の両端部２２２ａをエンドプレート２２１の貫通孔２２１ａに通し、シャフト２２２の中間部２２２ｂの両側のフランジ部２２２ｃをエンドプレート２２１の角形二次電池１００に対向する面に当接させる。そして、シャフト２２２の両端部２２２ａの雄ネジにナットを締結することで、シャフト２２２の中間部２２２ｂによって一対のエンドプレート２２１間の間隔が規定され、一対のエンドプレート２２１間で複数の角形二次電池１００が電池ホルダ２１０に保持されて拘束される。
【００２４】
角形二次電池１００は、２つの電池ホルダ２１０の間又はエンドプレート２２１と電池ホルダ２１０との間で圧縮され、電池容器１０の広側面１０ａが電池ホルダ２１０又はエンドプレート２２１の当接部２１４及び本体部２１１の上下の部分に押し付けられる。詳細は後述するが、角形二次電池１００の蓋部材１２の短手方向の両端部と、電池ホルダ２１０又はエンドプレート２２１とは、当接している。しかし、例えば、角形二次電池１００の充放電前には、蓋部材１２の短手方向の両端部と、電池ホルダ２１０又はエンドプレート２２１との間に隙間を有する場合もある。
【００２５】
積層方向に隣接する角形二次電池１００の正極外部端子２０Ａと負極外部端子２０Ｂは、導電性を有する金属製のバスバー２５０によって接続され、複数の角形二次電池１００が直列に接続される。バスバー２５０は、正極外部端子２０Ａ及び負極外部端子２０Ｂのボルト２１を通す貫通孔２５０ａを有し、貫通孔２５０ａに正極外部端子２０Ａ及び負極外部端子２０Ｂのボルト２１を通して不図示のナットを締結することで、正極外部端子２０Ａ及び負極外部端子２０Ｂに固定される。
【００２６】
トッププレート２３０は、拘束部材２２０及び電池ホルダ２１０によって拘束された角形二次電池１００の上方に配置される矩形板状の部材である。トッププレート２３０は、角形二次電池１００のガス排出弁１３に対応する位置と、隣接する角形二次電池１００を接続するバスバー２５０に対応する位置に、長丸穴状の貫通孔２３０ａ、２３０ｂが設けられている。ガス排出弁１３に対応する貫通孔２３０ａには、リング状のシール部材２３１が嵌め込まれている。
【００２７】
シール部材２３１は、トッププレート２３０と蓋部材１２との間の隙間をシールしている。トッププレート２３０は、角形二次電池１００の幅方向の両端が、電池ホルダ２１０の保持部２１２の上面に当接することで、角形二次電池１００の蓋部材１２との間隔が所定の間隔に維持されている。これにより、トッププレート２３０と角形二次電池１００の蓋部材１２との間で、シール部材２３１が所定の高さに圧縮され、シール部材２３１のシール性が確保されている。
【００２８】
カバー２４０は、トッププレート２３０上に配置されてトッププレート２３０を覆う矩形板状の部材であり、トッププレート２３０に対向する面に凹部２４０ａを有している。凹部２４０ａは、角形二次電池１００のガス排出弁１３に対応するトッププレート２３０の貫通孔２３０ａと重なる位置に、角形二次電池１００の積層方向に連続的に設けられ、トッププレート２３０との間にダクトＤを形成している。角形二次電池１００のガス排出弁１３から排出されたガスは、トッププレート２３０の貫通孔２３０ａ及びダクトＤを通じて外部に排出される。
【００２９】
カバー２４０及びトッププレート２３０は、その一部が角形二次電池１００の積層方向の両端から突出し、ダクトＤの両端に管状の接続部Ｄｃを形成している。ダクトＤの接続部Ｄｃは、隣接する別の組電池２００のダクトＤの接続部Ｄｃに接続されるか又は排出されたガス等を車両外部やガス補足用のパンに導くためのホースに接続される。カバー２４０及びトッププレート２３０は、ボルトＢを通す貫通孔２３０ｃを有し、貫通孔２３０ｃに通したボルトＢを拘束部材２２０のシャフト２２２の中間部２２２ｂに設けられたネジ穴２２２ｄに締結することで、拘束部材２２０に固定される。
【００３０】
（角形二次電池）
本実施形態の組電池２００は、後述する角形二次電池１００の蓋部材１２の構成に技術的な特徴を有している。以下、本実施形態の組電池２００に用いられる角形二次電池１００の構成の一例について、詳細に説明する。
【００３１】
図４は、図１に示す組電池２００を構成する角形二次電池１００の斜視図である。図５は、図４に示す角形二次電池１００の分解斜視図である。
【００３２】
角形二次電池１００は、矩形箱状に形成された電池容器１０を備えている。電池容器１０は、上部が開放された有底角筒状の電池缶１１と、電池缶１１の上部開口１１ａを封止する長方形板状の蓋部材１２と、蓋部材１２の上面に配置された正極外部端子２０Ａ及び負極外部端子２０Ｂとを備えている。電池缶１１は、例えば、アルミニウム又はアルミニウム合金等の金属材料に深絞り加工を施すことによって製作されている。蓋部材１２は、例えば、電池缶１１と同様の金属材料にプレス加工を施すことによって製作されている。本実施形態の組電池２００の特徴部分である角形二次電池１００の蓋部材１２の構成については、後で拡大図を用いて詳細に説明する。
【００３３】
電池容器１０は、略直方体形状に形成され、電池容器１０の幅方向に沿う最大面積の広側面１０ａと、電池容器１０の厚さ方向に沿う狭側面１０ｂと、電池容器１０の幅方向を長辺方向、電池容器１０の厚さ方向を短辺方向とする長方形の底面１０ｃを有している。電池容器１０の幅方向すなわち蓋部材１２の長手方向の両端には、電池容器１０の外側で蓋部材１２の上面に、異なる材料からなる正極外部端子２０Ａと負極外部端子２０Ｂとが設けられている。
【００３４】
正極外部端子２０Ａ及び負極外部端子２０Ｂは、概ね矩形平板状に形成されている。正極外部端子２０Ａは、例えばアルミニウム又はアルミニウム合金によって製作され、負極外部端子２０Ｂは、例えば銅又は銅合金によって製作されている。なお、正極外部端子２０Ａ及び負極外部端子２０Ｂの形状は、板状に限られず、例えば、概ね直方体形状のブロック状、又は円柱状に形成してもよい。正極外部端子２０Ａ及び負極外部端子２０Ｂは、それぞれ、バスバー２５０を締結するためのボルト２１を備えている。
【００３５】
正極外部端子２０Ａ及び負極外部端子２０Ｂと、蓋部材１２との間には、絶縁部材としてのガスケット３０が配置され、正極外部端子２０Ａ及び負極外部端子２０Ｂが蓋部材１２に対して電気的に絶縁されている。ガスケット３０は、例えば、ポリプロピレン（ＰＰ）等の絶縁性を有する樹脂材料によって製作されている。
【００３６】
蓋部材１２は、正極外部端子２０Ａと負極外部端子２０Ｂとの間に、ガス排出弁１３と注液口１４とを有している。ガス排出弁１３は、例えば、蓋部材１２の一部を薄肉化して開裂用の溝を形成することによって設けられ、電池容器１０の内圧が所定の圧力を超えて上昇したときに開裂し、電池容器１０の内部のガスを放出することで、電池容器１０の内圧を低下させる。注液口１４は、電池容器１０の内部に電解液を注入するのに用いられ、例えばレーザ溶接によって注液栓１５が溶接されて封止されている。
【００３７】
蓋部材１２の長手方向の両端で、電池容器１０の内側となる蓋部材１２の下面には、絶縁部材４０を介して正極集電板５０Ａ及び負極集電板５０Ｂが固定されている。正極集電板５０Ａは、例えば、アルミニウム又はアルミニウム合金によって製作され、負極集電板５０Ｂは、例えば、銅又は銅合金によって製作されている。正極集電板５０Ａ及び負極集電板５０Ｂは、それぞれ、蓋部材１２に概ね平行な板状の基部５１と、基部５１から電池容器１０の底面１０ｃに向けて延びる板状の端子部５２を有している。
【００３８】
正極集電板５０Ａの基部５１は、絶縁部材４０、蓋部材１２及び正極外部端子２０Ａの貫通孔を貫通する正極接続端子６０Ａによって正極外部端子２０Ａに接続され、負極集電板５０Ｂの基部５１は、絶縁部材４０、蓋部材１２及び負極外部端子２０Ｂの貫通孔を貫通する負極接続端子６０Ｂによって負極外部端子２０Ｂに接続されている。正極接続端子６０Ａ及び負極接続端子６０Ｂは、それぞれ正極集電板５０Ａ及び負極集電板５０Ｂと同様の材料によって製作されている。正極接続端子６０Ａ及び負極接続端子６０Ｂと蓋部材１２との間は、ガスケット３０によって電気的に絶縁されている。
【００３９】
正極接続端子６０Ａと負極接続端子６０Ｂは、それぞれ基端部が正極集電板５０Ａと負極集電板５０Ｂの基部５１に接続され、それぞれ円筒状の先端部が正極外部端子２０Ａと負極外部端子２０Ｂの上面で拡径されて円板状に塑性変形している。これにより、正極外部端子２０Ａと負極外部端子２０Ｂの上面に、それぞれ正極接続端子６０Ａと負極接続端子６０Ｂのかしめ部６１が形成されている。正極接続端子６０Ａと負極接続端子６０Ｂの先端にかしめ部６１が形成されることで、正極外部端子２０Ａと正極集電板５０Ａが正極接続端子６０Ａを介して接続され、負極外部端子２０Ｂと負極集電板５０Ｂが負極接続端子６０Ｂを介して接続される。また、正極外部端子２０Ａ及び負極外部端子２０Ｂ、ガスケット３０、絶縁部材４０、並びに、正極集電板５０Ａ及び負極集電板５０Ｂが、蓋部材１２に一体的にかしめ固定されて、蓋組立体１１０が構成される。
【００４０】
正極集電板５０Ａと負極集電板５０Ｂの基部５１から下方に延びる端子部５２は、例えば、超音波圧接や抵抗溶接によって、それぞれ電池缶１１に収容される発電要素７０の正極箔露出部７１ｃと負極箔露出部７２ｃに接合されている。これにより、発電要素７０は、正極集電板５０Ａと負極集電板５０Ｂの端子部５２に電気的に接続され、正極集電板５０Ａと負極集電板５０Ｂの端子部５２の間に固定され、蓋組立体１１０に保持される。発電要素７０は、蓋組立体１１０に保持された状態で、その周囲を覆うように絶縁ケース８０を介在させ、電池缶１１に収容される。絶縁ケース８０は、例えば、ポリプロピレン（ＰＰ）等の絶縁性を有する樹脂材料のシートによって製作され、電池缶１１と発電要素７０との間を電気的に絶縁している。発電要素７０は、捲回中心軸Ｒ（図６参照）が蓋部材１２の長辺方向に沿うように配置されている。
【００４１】
角形二次電池１００を組み立てる際には、蓋組立体１１０に保持した発電要素７０を電池缶１１に収容した後、蓋部材１２の周縁部の下端面を電池缶１１の上部開口１１ａの周囲の上端部に当接させ、例えば、レーザ溶接によって、蓋部材１２を全周に亘って電池缶１１の上端部に接合する。これにより、電池缶１１の上部開口１１ａが蓋部材１２によって封止される。その後、蓋部材１２の注液口１４を介して電池容器１０の内部に非水電解液を注入し、例えば、レーザ溶接によって注液栓１５を注液口１４に接合して封止することで、電池容器１０が密閉される。電池容器１０の内部に注入する非水電解液としては、例えば、エチレンカーボネート等の炭酸エステル系の有機溶媒に６フッ化リン酸リチウム（ＬｉＰＦ６）等のリチウム塩が溶解された非水電解液を用いることができる。
【００４２】
図６は、図５に示す角形二次電池１００の発電要素７０の一部を展開した分解斜視図である。
【００４３】
発電要素７０は、セパレータ７３、７４を介在させて対向させた正極電極７１と負極電極７２を捲回中心軸Ｒに平行な軸心の周りに捲回して扁平形状に成形した捲回電極群である。発電要素７０は、電池容器１０の広側面１０ａに対向する平坦部７０ａと、蓋部材１２及び電池缶１１の底面に対向する湾曲部７０ｂとを有する扁平形状に成形されている。平坦部７０ａは、電極７１、７２とセパレータ７３、７４が平坦に積層された部分であり、湾曲部７０ｂは、電極７１、７２とセパレータ７３、７４が半円筒状に湾曲して積層された部分である。
【００４４】
正極電極７１は、正極集電体である正極金属箔７１ａと、正極金属箔７１ａの両面に塗布された正極活物質合剤からなる正極合剤層７１ｂとを有している。長尺帯状の正極電極７１の幅方向の一側は、正極合剤層７１ｂが形成されず、正極金属箔７１ａが露出した箔露出部７１ｃとされている。正極電極７１は、箔露出部７１ｃが負極電極７２の箔露出部７２ｃと捲回中心軸Ｒ方向の反対側に配置されて、捲回中心軸Ｒの周りに捲回されている。
【００４５】
正極電極７１を製作するには、例えば、正極活物質に導電材、結着剤及び分散溶媒を添加して混練した正極活物質合剤を、幅方向の一側を除く正極金属箔７１ａの両面に塗布し、乾燥、プレス、裁断する。正極金属箔７１ａとしては、例えば、厚さ約２０μｍ〜３０μｍ程度のアルミニウム箔を用いることができる。正極金属箔７１ａの厚みを含まない正極合剤層７１ｂの厚さは、例えば、約９０μｍである。
【００４６】
正極活物質合剤の材料としては、例えば、正極活物質として１００重量部のマンガン酸リチウム（化学式ＬｉＭｎ２Ｏ４）を、導電材として１０重量部の鱗片状黒鉛を、結着剤として１０重量部のポリフッ化ビニリデン（以下、ＰＶＤＦという。）を、分散溶媒としてＮ−メチルピロリドン（以下、ＮＭＰという。）を、それぞれ用いることができる。
【００４７】
正極活物質は、前記したマンガン酸リチウムに限定されず、例えば、スピネル結晶構造を有する他のマンガン酸リチウム、一部を金属元素で置換又はドープしたリチウムマンガン複合酸化物を用いてもよい。また、正極活物質として、層状結晶構造を有するコバルト酸リチウムやチタン酸リチウム、及びこれらの一部を金属元素で置換又はドープしたリチウム−金属複合酸化物を用いてもよい。
【００４８】
負極電極７２は、負極集電体である負極金属箔７２ａと、負極金属箔７２ａの両面に塗布された負極活物質合剤からなる負極合剤層７２ｂとを有している。長尺帯状の負極電極７２の幅方向の一側は、負極合剤層７２ｂが形成されず、負極金属箔７２ａが露出した箔露出部７２ｃとされている。負極電極７２は、その箔露出部７２ｃが正極電極７１の箔露出部７１ｃと捲回中心軸Ｒ方向の反対側に配置されて、捲回中心軸Ｒ周りに捲回されている。
【００４９】
負極電極７２を製作するには、例えば、負極活物質に結着剤及び分散溶媒を添加して混練した負極活物質合剤を、幅方向の一側を除く負極金属箔７２ａの両面に塗布し、乾燥、プレス、裁断する。負極金属箔７２ａとしては、例えば、厚さ約１０μｍ〜２０μｍ程度の銅箔を用いることができる。負極金属箔７２ａの厚みを含まない負極合剤層７２ｂの厚さは、例えば、約７０μｍである。
【００５０】
負極活物質合剤の材料としては、例えば、負極活物質として１００重量部の非晶質炭素粉末を、結着剤として１０重量部のＰＶＤＦを、分散溶媒としてＮＭＰをそれぞれ用いることができる。負極活物質は、前記した非晶質炭素に限定されず、リチウムイオンを挿入、脱離可能な天然黒鉛や、人造の各種黒鉛材、コークスなどの炭素質材料やＳｉやＳｎなどの化合物（例えば、ＳｉＯ、ＴｉＳｉ２等）、又はそれらの複合材料を用いてもよい。負極活物質の粒子形状についても特に限定されず、鱗片状、球状、繊維状又は塊状等の粒子形状を適宜選択することができる。
【００５１】
なお、前記した正極及び負極の合剤層に用いる結着材は、ＰＶＤＦに限定されない。前記した結着材として、例えば、ポリテトラフルオロエチレン（ＰＴＦＥ）、ポリエチレン、ポリスチレン、ポリブタジエン、ブチルゴム、ニトリルゴム、スチレンブタジエンゴム、多硫化ゴム、ニトロセルロース、シアノエチルセルロース、各種ラテックス、アクリロニトリル、フッ化ビニル、フッ化ビニリデン、フッ化プロピレン、フッ化クロロプレン、アクリル系樹脂などの重合体及びこれらの混合体などを用いてもよい。
【００５２】
セパレータ７３、７４は、正極電極７１と負極電極７２との間を絶縁すると共に、発電要素７０の最外周に捲回された負極電極７２の外周にもセパレータ７４が捲回されている。セパレータ７３、７４は、例えば、リチウムイオンが通過可能な微多孔質のポリエチレン樹脂によって製作されている。
【００５３】
発電要素７０は、捲回中心軸Ｒ方向の一端で積層した正極電極７１の正極箔露出部７１ｃと、捲回中心軸Ｒ方向の他端で積層した負極電極７２の負極箔露出部７２ｃとが、それぞれ図５に示すように電池容器１０の厚さ方向で２つに分割するように束ねられる。そして、正極箔露出部７１ｃと負極箔露出部７２ｃは、例えば、超音波圧接又は抵抗溶接によって、それぞれ正極集電板５０Ａと負極集電板５０Ｂの端子部５２に接合される。これにより、正極電極７１と負極電極７２が、それぞれ正極集電板５０Ａと負極集電板５０Ｂを介して、それぞれ正極外部端子２０Ａと負極外部端子２０Ｂに接続される。
【００５４】
以上の構成に基づき、図４及び図５に示す角形二次電池１００は、例えば、外部の発電装置等から供給された電力を、正極外部端子２０Ａ及び負極外部端子２０Ｂ、正極集電板５０Ａ及び負極集電板５０Ｂを介して発電要素７０の正極電極７１及び負極電極７２の合剤層７１ｂ、７２ｂ間に蓄積することで充電される。また、角形二次電池１００は、発電要素７０の正極電極７１及び負極電極７２の合剤層７１ｂ、７２ｂ間に充電した電力を、正極集電板５０Ａ及び負極集電板５０Ｂ、正極外部端子２０Ａ及び負極外部端子２０Ｂを介して、例えば、モータ等の外部負荷に電力を供給する。
【００５５】
以下、本実施形態の組電池２００及び角形二次電池１００の特徴部分である蓋部材１２の構成について、詳細に説明する。
【００５６】
図７は、図４に示す角形二次電池１００のVII-VII線に沿う拡大断面図である。図８は、図７に示す角形二次電池１００のVIII部分の拡大断面図である。
【００５７】
本実施形態の組電池２００及び角形二次電池１００は、角形二次電池１００の蓋部材１２が、図２及び図３に示す電池ホルダ２１０に対向する端部１２ａと、その端部１２ａの間の中間部１２ｂとを有し、中間部１２ｂの厚さＴｂの中心Ｃｂが端部１２ａの厚さＴａの中心Ｃａよりも上方に位置することを最大の特徴としている。ここで、蓋部材１２の端部１２ａとは、電池容器１０の厚さ方向すなわち蓋部材１２の短手方向における両端部１２ａを意味している。また、蓋部材１２の端部１２ａは、電池缶１１の上端部と溶接によって接合される蓋部材１２の溶接部ＷＰを含む部分である。また、上方とは、電池缶１１の上部開口１１ａの位置からさらに電池缶１１の外側を向く方向を意味し、必ずしも鉛直方向の上方を意味しない。
【００５８】
電池容器１０の厚さ方向における蓋部材１２の端部１２ａの幅Ｗａの最小値は、例えば、蓋部材１２の端部１２ａが電池ホルダ２１０又はエンドプレート２２１に押し付けられたときに、少なくとも中間部１２ｂが電池ホルダ２１０又はエンドプレート２２１に接触しない幅Ｗａに設定される。また、蓋部材１２の端部１２ａの幅Ｗの最大値は、例えば、正極外部端子２０Ａ及び負極外部端子２０Ｂと蓋部材１２との間のガスケット３０の下面が、蓋部材１２の端部１２ａに重ならない幅Ｗａに設定される。すなわち、正極外部端子２０Ａ及び負極外部端子２０Ｂは、蓋部材１２の端部１２ａに配置されることはなく、蓋部材１２の中間部１２ｂに配置される。
【００５９】
本実施形態において、蓋部材１２は、端部１２ａの厚さＴａが中間部１２ｂの厚さＴｂよりも薄くされている。そして、蓋部材１２の上面には、端部１２ａと中間部１２ｂとの間に段差部１２ｃが形成されている。本実施形態の角形二次電池１００において、蓋部材１２の段差部１２ｃは、図４及び図５に示すように、蓋部材１２の全周に亘って設けられている。なお、蓋部材１２の段差部１２ｃは、少なくとも電池ホルダ２１０又はエンドプレート２２１に対向する蓋部材１２の端部１２ａと中間部１２ｂとの間に設けられていればよい。換言すると、角形二次電池１００の積層方向、すなわち蓋部材１２の短手方向に沿う段差部１２ｃは、省略することができる。
【００６０】
蓋部材１２の端部１２ａにおいて、蓋部材１２の下端面は、電池缶１１の上端部に当接している。そして、レーザ溶接によって蓋部材１２と電池缶１１とを接合する際に、蓋部材１２の下端面と電池缶１１の上端部との当接部にレーザを照射する。これにより、蓋部材１２の下端面の一部と電池缶１１の上端部の一部が溶融して融合し、蓋部材１２の下端面と電池缶１１の上端部との間に、溶接金属が凝固した溶接部ＷＰが形成され、電池缶１１が蓋部材１２によって封止されている。
【００６１】
以下、本実施形態の組電池２００及び角形二次電池１００の作用について説明する。
【００６２】
図９は、図２に示す組電池２００の断面を拡大して示す模式的な断面図である。なお、図９では、本実施形態の組電池２００及び角形二次電池１００の作用を分かりやすく説明するために、１つの角形二次電池１００とその両側の電池ホルダ２１０以外の構成の図示を省略し、蓋部材１２の変形を誇張して表すとともに、各部の縮尺を適宜変更している。
【００６３】
本実施形態の組電池２００及び角形二次電池１００においては、角形二次電池１００の充放電に伴って電池容器１０に収容された発電要素７０が膨張し、電池容器１０の広側面１０ａが電池容器１０外側に膨出するように変形しようとする。しかし、電池容器１０の広側面１０ａは、対向する電池ホルダ２１０の本体部２１１（又はエンドプレート２２１。以下同様。）の上下の端部及び当接部２１４に当接し、電池ホルダ２１０から膨張を規制する圧縮方向の反力を受ける。また、蓋部材１２の電池ホルダ２１０に対向する端部１２ａは、電池容器１０の膨張前に電池ホルダ２１０に当接していない場合でも、電池容器１０の膨張後に電池ホルダ２１０に当接し、電池ホルダ２１０から蓋部材１２の中間部１２ｂに向く方向の力Ｆを受ける。
【００６４】
ここで、本実施形態の組電池２００及び角形二次電池１００は、図８に示すように、角形二次電池１００の蓋部材１２の中間部１２ｂの厚さＴｂの中心Ｃｂが、端部１２ａの厚さＴａの中心Ｃａよりも上方に位置している。そのため、図９に示すように、蓋部材１２の端部１２ａから、中間部１２ｂに対して上向きの力ｆが作用し、蓋部材１２の全体が上方に撓むように変形する。これにより、角形二次電池１００の膨張時に、電池缶１１の上部開口を封止する蓋部材１２は、電池缶１１の上部開口１１ａから上方に向けて変形し、電池缶１１の外側に向けて変形する。
【００６５】
したがって、本実施形態の組電池２００及び角形二次電池１００によれば、前記特許文献１に記載された従来の角形二次電池とは異なり、蓋部材１２が電池缶１１の内側下方に向けて変形することが防止され、蓋部材１２と発電要素７０との短絡を防止することができる。
【００６６】
また、蓋部材１２は、図８に示すように、端部１２ａの厚さＴａが中間部１２ｂの厚さＴｂよりも薄いことで、端部１２ａの厚さＴａの中心Ｃａと中間部１２ｂの厚さＴｂの中心Ｃｂの位置を異ならせて、中間部１２ｂの厚さＴｂの中心Ｃｂを端部１２ａの厚さＴａの中心Ｃａよりも上方に位置させることができる。
【００６７】
また、蓋部材１２は、端部１２ａと中間部１２ｂとの間に段差部１２ｃを有しているので、段差部１２ｃにおいて端部１２ａから中間部１２ｂに対して電池缶１１の外側上方に向く力ｆを作用させることができる。また、段差部１２ｃを蓋部材１２の全周に亘って形成することで、電池容器１０の幅方向すなわち蓋部材１２の長手方向の端部が電池ホルダ２１０に当接して、蓋部材１２の長手方向の端部に対して蓋部材１２の長手方向の中間部１２ｂに向く力が作用した場合でも、段差部１２ｃにおいて端部から中間部に対して電池缶１１の外側上方に向く力ｆを作用させることができる。
【００６８】
また、蓋部材１２の下端面は、電池缶１１の上端部に当接している。そのため、前記特許文献１に記載された角形二次電池の蓋材の端部の拝み溶接と異なり、電池容器１０の広側面１０ａの中央部が最も膨張したときに、広側面１０ａの上端部によって蓋部材１２の端部１２ａに電池缶１１の内側下方に向く力が作用するのを防止することができる。
【００６９】
また、角形二次電池１００は、蓋部材１２の上面に正極外部端子２０Ａと負極外部端子２０Ｂとを備え、正極外部端子２０Ａ及び負極外部端子２０Ｂは、蓋部材１２の中間部１２ｂに配置されている。そのため、正極外部端子２０Ａ及び負極外部端子２０Ｂを蓋部材１２の上面に配置する際に、蓋部材１２に設けられた段差部１２ｃ等によって影響を受けることがなく、安定して配置することができる。
【００７０】
また、角形二次電池１００は、電池缶１１が偏平角形に形成され、電池缶１１の厚さ方向に電池ホルダ２１０と交互に積層されている。そして、蓋部材１２は、長方形板状に形成され、短辺方向の両側に電池ホルダ２１０が配置され、発電要素７０は、捲回中心軸Ｒが蓋部材１２の長辺方向に沿うように配置されている。このような構成の角形二次電池１００では、充放電時に蓋部材１２の短辺方向に対向する電池缶１１の最大面積の広側面１０ａの高さ方向の中央部の膨張が最も大きくなる。そのため、電池缶１１の上端部は、電池缶１１の内側下方に向けて変形しようとする傾向が強くなる。しかし、本実施形態の組電池２００及び二次電池によれば、前記した構成に基づき、蓋部材１２が電池ケースの内側下方に向けて変形することを防止し、蓋部材１２と発電要素７０との短絡を防止することができる。
【００７１】
以上説明したように、本実施形態の組電池２００及び二次電池によれば、角形二次電池１００の蓋部材１２と発電要素７０との短絡を防止することができる組電池２００及び該組電池２００に用いられる角形二次電池１００を提供することができる。
【００７２】
（変形例１及び２）
以下、前述の実施形態の角形二次電池１００の変形例１及び２について、図１から図７及び図９を援用し、図１０及び図１１を用いて説明する。図１０及び図１１は、前述の実施形態の図８に相当する変形例１及び２の角形二次電池１００Ａ、１００Ｂの拡大断面図である。
【００７３】
変形例１及び２の角形二次電池１００Ａ、１００Ｂは、蓋部材１２の中間部１２ｂに電池缶１１の上部開口１１ａに嵌合する凸部１２Ｐを有する点で、前述の実施形態で説明した角形二次電池１００と異なっている。変形例１及び２の角形二次電池１００Ａ、１００Ｂのその他の点は、前述の実施形態で説明した角形二次電池１００と同一であるので、同一の部分には同一の符号を付して説明を省略する。
【００７４】
図１０に示す変形例１の角形二次電池１００Ａは、蓋部材１２の下端面から電池缶１１の内側に向けて突出する凸部１２Ｐが、蓋部材１２の端部１２ａに隣接する蓋部材１２の中間部１２ｂの端部に設けられている。凸部１２Ｐは、電池缶１１の上端部の内側壁に沿って環状に延在し、電池缶１１の上部開口１１ａの内側に嵌合して蓋部材１２を位置決めしている。蓋部材１２の中間部１２ｂの凸部１２Ｐが設けられていない部分の厚さＴｂ１の中心Ｃｂ１及び凸部１２Ｐが設けられた部分の厚さＴｂ２の中心Ｃｂ２は、蓋部材１２の端部１２ａの厚さＴａの中心Ｃａよりも上方に位置している。
【００７５】
図１１に示す変形例２の角形二次電池１００Ｂは、蓋部材１２の下端面から電池缶１１の内側に向けて突出する凸部１２Ｐが、蓋部材１２の中間部１２ｂの全体に亘って設けられ、電池缶１１の上部開口１１ａの内側に嵌合して蓋部材１２を位置決めしている。凸部１２Ｐが設けられた蓋部材１２の中間部１２ｂの厚さＴｂ２の中心Ｃｂ２は、蓋部材１２の端部１２ａの厚さＴａの中心Ｃａよりも上方に位置している。
【００７６】
変形例１及び２の角形二次電池１００Ａ、１００Ｂ及びそれを備えた組電池２００によれば、中間部１２ｂの厚さＴｂ１、Ｔｂ２の中心Ｃｂ１、Ｃｂ２が端部１２ａの厚さＴａの中心Ｃａよりも上方に位置しているので、前述の実施形態で説明した組電池２００及び角形二次電池１００と同様の効果を得ることができる。また、電池缶１１の上端部の内側壁に沿って凸部１２Ｐが設けられることで、蓋部材１２の下端面と電池缶１１の上端部とをレーザ溶接によって接合する際に、電池缶１１の内部に溶接時に発生するデブリ等が侵入することが防止される。また、凸部１２Ｐを設けることで蓋部材１２の機械的強度を向上させることができる。
【００７７】
（変形例３）
以下、前述の実施形態の角形二次電池１００の変形例３について、図１から図７及び図９を援用し、図１２を用いて説明する。図１２は、前述の実施形態の図８に相当する変形例３の角形二次電池１００Ｃの拡大断面図である。
【００７８】
変形例３の角形二次電池１００Ｃは、蓋部材１２の端部１２ａと中間部１２ｂとの間に段差１２ｃを有さず、傾斜部１２ｄを有している点で、前述の実施形態で説明した角形二次電池１００と異なっている。変形例３の角形二次電池１００Ｃのその他の点は、前述の実施形態で説明した角形二次電池１００と同一であるので、同一の部分には同一の符号を付して説明を省略する。
【００７９】
本変形例の角形二次電池１００Ｃでは、蓋部材１２の端部１２ａと中間部１２ｂとの間に傾斜部１２ｄを有することで、中間部１２ｂの厚さＴｂの中心Ｃｂが端部１２ａの厚さＴａの中心Ｃａよりも上方に位置している。そのため、電池ホルダ２１０から蓋部材１２の端部１２ａに対して蓋部材１２の中間部１２ｂに向く力Ｆが作用すると、蓋部材１２の端部１２ａから蓋部材１２の中間部１２ｂに対して傾斜部１２ｄを介して電池缶１１の外側上方に向く力ｆが作用する。したがって、本変形例の角形二次電池１００Ｃ及びそれを備えた組電池２００によれば、前述の実施形態で説明した組電池２００及び角形二次電池１００と同様の効果を得ることができる。なお、傾斜部１２ｄの傾斜面は、平坦でも曲面状に形成されていてもよい。
【００８０】
（変形例４及び５）
以下、前述の実施形態の角形二次電池１００の変形例４及び５について、図１から図７及び図９を援用し、図１３及び図１４を用いて説明する。図１３及び図１４は、前述の実施形態の図８に相当する変形例４及び５の角形二次電池１００Ｄ、１００Ｅの拡大断面図である。
【００８１】
変形例４及び５の角形二次電池１００Ｄ、１００Ｅは、蓋部材１２の端部１２ａの厚さＴａと中間部１２ｂの厚さＴｂが同等であり、端部１２ａと中間部１２ｂとの間に接続部１２ｅ、１２ｆを有している点で、前述の実施形態で説明した角形二次電池１００と異なっている。変形例４及び５の角形二次電池１００Ｄ、１００Ｅのその他の点は、前述の実施形態で説明した角形二次電池１００と同一であるので、同一の部分には同一の符号を付して説明を省略する。
【００８２】
図１３に示す角形二次電池１００Ｄは、蓋部材１２の端部１２ａと中間部１２ｂとの間に形成された接続部１２ｅが、蓋部材１２の端部１２ａと中間部１２ｂに対して略垂直に曲折されることで、蓋部材１２の厚さ方向、すなわち電池容器１０の高さ方向に所定の高さＨを有している。これにより、蓋部材１２の中間部１２ｂの厚さＴｂの中心Ｃｂが端部１２ａの厚さＴａの中心Ｃａよりも上方に位置している。
【００８３】
図１４に示す角形二次電池１００Ｅは、蓋部材１２の端部１２ａと中間部１２ｂとの間に形成された接続部１２ｆが、蓋部材１２の端部１２ａと中間部１２ｂに対して９０°未満の角度αに曲折されることで、蓋部材１２の厚さ方向、すなわち電池容器１０の高さ方向に所定の高さＨを有している。これにより、蓋部材１２の接続部１２ｆが、蓋部材１２の端部１２ａと中間部１２ｂに対して傾斜し、蓋部材１２の中間部１２ｂの厚さＴｂの中心Ｃｂが、端部１２ａの厚さＴａの中心Ｃａよりも上方に位置している。
【００８４】
本変形例の角形二次電池１００Ｄ、１００Ｅでは、蓋部材１２の端部１２ａと中間部１２ｂとの間に、蓋部材１２の厚さ方向に高さＨを有する接続部１２ｅ、１２ｆが設けられることで、中間部１２ｂの厚さＴｂの中心Ｃｂが端部１２ａの厚さＴａの中心Ｃａよりも上方に位置している。そのため、電池ホルダ２１０から蓋部材１２の端部１２ａに対して蓋部材１２の中間部１２ｂに向く力Ｆが作用すると、蓋部材１２の端部１２ａから蓋部材１２の中間部１２ｂに対して接続部１２ｅ、１２ｆを介して電池缶１１の外側上方に向く力ｆが作用する。したがって、本変形例の角形二次電池１００Ｄ、１００Ｅ及びそれを備えた組電池２００によれば、前述の実施形態で説明した組電池２００及び角形二次電池１００と同様の効果を得ることができる。
【００８５】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【符号の説明】
【００８６】
１１  電池缶、１１ａ  上部開口、１２  蓋部材、１２ａ  端部、１２ｂ  中間部、１２ｃ  段差部、１２ｄ  傾斜部、１２ｅ  接続部、１２ｆ  接続部、１２Ｐ  凸部、２０Ａ  正極外部端子、２０Ｂ  負極外部端子、７０  発電要素、７１  正極電極、７２  負極電極、７３  セパレータ、７４  セパレータ、１００  角形二次電池、１００Ａ−１００Ｅ  角形二次電池、２００  組電池、２１０  電池ホルダ、２２０  拘束部材、Ｃａ  端部の厚さの中心、Ｃｂ  中間部の厚さの中心、Ｈ  接続部の高さ、Ｒ  捲回中心軸、Ｔａ  端部の厚さ、Ｔｂ  中間部の厚さ
【図１】
2016081629.tif 000003
【図２】
2016081629.tif 000004
【図３】
2016081629.tif 000005
【図４】
2016081629.tif 000006
【図５】
2016081629.tif 000007
【図６】
2016081629.tif 000008
【図７】
2016081629.tif 000009
【図８】
2016081629.tif 000010
【図９】
2016081629.tif 000011
【図１０】
2016081629.tif 000012
【図１１】
2016081629.tif 000013
【図１２】
2016081629.tif 000014
【図１３】
2016081629.tif 000015
【図１４】
2016081629.tif 000016